【手続補正書】
【提出日】平成30年5月16日(2018.5.16)
【手続補正１】
【補正対象書類名】特許請求の範囲
【補正対象項目名】全文
【補正方法】変更
【補正の内容】
【特許請求の範囲】
【請求項１】
第１の通信ネットワークの第１のネットワークデバイスにおいて、第２の通信ネットワークの第２のネットワークデバイスの送信を検出することと、ここにおいて、前記第１のネットワークデバイスと前記第１の通信ネットワークとは、１つまたは複数の電力線通信（ＰＬＣ）プロトコルを実装し、前記第２のネットワークデバイスと前記第２の通信ネットワークとは、１つまたは複数のデジタル加入者線（ＤＳＬ）プロトコルを実装する、
前記第１のネットワークデバイスが、前記第２のネットワークデバイスの前記送信に少なくとも部分的に基づいて、前記第２のネットワークデバイスに関連付けられる干渉を決定することと、
前記第２のネットワークデバイスに関連付けられる前記干渉が第１の干渉しきい値を超えるかどうかに少なくとも部分的に基づいて、前記第１のネットワークデバイスの送信電力を低減するか、または前記第１のネットワークデバイスと前記第２のネットワークデバイスとの間で通信リソースを共有するかを、前記第１のネットワークデバイスが決定することと、
前記干渉が前記第１の干渉しきい値を超えないと決定することに応答して、第１の送信電力低減ファクターだけ前記第１のネットワークデバイスの前記送信電力を低減することを決定することと、
前記干渉が前記第１の干渉しきい値を超えると決定することに応答して、前記第１のネットワークデバイスと前記第２のネットワークデバイスとの間で前記通信リソースを共有することを決定することと、
を備える、方法。
【請求項２】
前記通信リソースを共有することを決定することに応答して、第３の通信ネットワークを介して前記第２のネットワークデバイスに共存メッセージを送信することをさらに備え、
前記共存メッセージは、前記通信リソースを共有する方法を示す、請求項１に記載の方法。
【請求項３】
前記通信リソースを共有することを決定することに応答して、第３の通信ネットワークを介して前記第２のネットワークデバイスに共存メッセージを送信することをさらに備え、
前記共存メッセージは、送信タイムスロットを共有する方法と、通信周波数を共有する方法とからなるグループから選択される少なくとも１つのメンバを示す、請求項１に記載の方法。
【請求項４】
前記干渉が第２の干渉しきい値を超えるが、前記第１の干渉しきい値を超えないことを決定することに応答して、前記第１のネットワークデバイスの前記送信電力を前記第１の送信電力低減ファクターだけ低減することを決定することをさらに備え、前記第２の干渉しきい値は、前記第１の干渉しきい値よりも低い、請求項１に記載の方法。
【請求項５】
前記干渉が前記第２の干渉しきい値よりも低いと決定することに応答して、前記第１のネットワークデバイスの前記送信電力を低減しないこと、および前記第１のネットワークデバイスと前記第２のネットワークデバイスとの間で前記通信リソースを共有しないことを決定することをさらに備える、請求項４に記載の方法。
【請求項６】
前記干渉が第２の干渉しきい値を超えるが、前記第１の干渉しきい値を超えないことを決定することに応答して、前記第２のネットワークデバイスの前記送信電力を低減するための第２の送信電力低減ファクターを決定することをさらに備え、前記第２の干渉しきい値は、前記第１の干渉しきい値よりも低い、請求項１に記載の方法。
【請求項７】
前記第１のネットワークデバイスの前記送信電力を低減することを決定することに応答して、前記第２のネットワークデバイスから、前記第１のネットワークデバイスに関連付けられる干渉を示す共存メッセージを受信することと、
前記第１のネットワークデバイスに関連付けられる前記干渉に少なくとも部分的に基づいて、前記第１のネットワークデバイスの前記送信電力を低減するための第２の送信電力低減ファクターを決定することと、
をさらに備える、請求項１に記載の方法。
【請求項８】
前記第１のネットワークデバイスの前記送信電力を低減することが、前記第１の通信ネットワークにおけるパフォーマンス低下を引き起こすと決定することに応答して、前記第１のネットワークデバイスと前記第２のネットワークデバイスとの間で前記通信リソースを共有することを決定することをさらに備える、請求項１に記載の方法。
【請求項９】
前記第２のネットワークデバイスの送信電力を低減することが、前記第２の通信ネットワークにおけるパフォーマンス低下を引き起こすことを示す共存メッセージを前記第２のネットワークデバイスから受信することに応答して、前記第１のネットワークデバイスと前記第２のネットワークデバイスとの間で前記通信リソースを共有することを決定することをさらに備える、請求項１に記載の方法。
【請求項１０】
前記第２のネットワークデバイスに関連付けられる前記干渉を決定することは、
前記第２のネットワークデバイスから受信した前記送信のプリアンブルの信号強度を決定することと、
前記信号強度と、前記第１のネットワークデバイスに関連付けられる電力検出しきい値との差に少なくとも部分的に基づいて、前記第２のネットワークデバイスに関連付けられる前記干渉を決定することと、ここにおいて、前記電力検出しきい値は、前記第１のネットワークデバイスによって受信され得る最小信号強度である、
を備える、請求項１に記載の方法。
【請求項１１】
前記第１のネットワークデバイスにおいて、前記第２の通信ネットワークの第３のネットワークデバイスに関連付けられる干渉を決定することと、
前記第２のネットワークデバイスに関連付けられる前記干渉は、前記第３のネットワークデバイスに関連付けられる前記干渉を超えると決定することと、
をさらに備え、
前記第１のネットワークデバイスの前記送信電力を低減するか、または前記第１のネットワークデバイスと前記第２のネットワークデバイスとの間で前記通信リソースを共有するかを決定することは、前記第２のネットワークデバイスに関連付けられる前記干渉に少なくとも部分的に基づく、請求項１に記載の方法。
【請求項１２】
前記第２のネットワークデバイスに関連付けられる前記干渉を決定することは、
前記第２のネットワークデバイスに関連付けられる前記干渉を推定するための第１の時間間隔を選択するために、第３の通信ネットワークを介して共存メッセージを前記第２のネットワークデバイスに提供することと、
前記第１の時間間隔の間に、前記第２のネットワークデバイスの前記送信を検出することと、
を備える、請求項１に記載の方法。
【請求項１３】
第１の通信ネットワークの第１のネットワークデバイスであって、前記第１のネットワークデバイスは、
第２の通信ネットワークの第２のネットワークデバイスの送信を検出するための手段と、ここにおいて、前記第１のネットワークデバイスと前記第１の通信ネットワークとは、１つまたは複数の電力線通信（ＰＬＣ）プロトコルを実装し、前記第２のネットワークデバイスと前記第２の通信ネットワークとは、１つまたは複数のデジタル加入者線（ＤＳＬ）プロトコルを実装する、
前記第２のネットワークデバイスの前記送信に少なくとも部分的に基づいて、前記第２のネットワークデバイスに関連付けられる干渉を決定するための手段と、
前記第２のネットワークデバイスに関連付けられる前記干渉が第１の干渉しきい値を超えるかどうかに少なくとも部分的に基づいて、前記第１のネットワークデバイスの送信電力を低減するか、または前記第１のネットワークデバイスと前記第２のネットワークデバイスとの間で通信リソースを共有するかを決定するための手段と、
前記干渉が前記第１の干渉しきい値を超えないと決定することに応答して、第１の送信電力低減ファクターだけ前記第１のネットワークデバイスの前記送信電力を低減することを決定するための手段と、
前記干渉が前記第１の干渉しきい値を超えると決定することに応答して、前記第１のネットワークデバイスと前記第２のネットワークデバイスとの間で前記通信リソースを共有することを決定するための手段と、
を備える、第１のネットワークデバイス。
【請求項１４】
実行されると、コンピュータに、請求項１乃至請求項１２のうちのいずれか１つに記載の方法を行わせる命令を備える、コンピュータ可読媒体。